(57)【要約】【課題】物干し用具のフック部材を引っ掛けるための金具類や紐類等の設備のない、若しくは、設備するのが憚かられるような室内環境にある室内においても、任意に簡便に着脱自在に設備することのできるきわめて便利な室内用の簡易型の物干し用具を提供する。【解決手段】帯板状、棒状等からなる左右一対の主軸体１、２の各基端に軟質合成樹脂、ゴム等の弾性素材製の吸着盤３、４を設けると共に該左右一対の主軸体１、２間に帯板状、棒状等からなる複数の軸体５を所要間隔をおいて差し渡し状に固設し、且つ、前記左右一対の主軸体１、２の各々に、帯板状、棒状等からなる補助の支軸体７、８の先端を各々角度調節可能に枢着すると共に該支軸体７、８の各々の基端に軟質合成樹脂、ゴム等の弾性素材製の吸着盤９、１０を各々角度調節可能に枢着してなることを特徴とする。【選択図】図１
0003118622.tif 000002
【実用新案登録請求の範囲】
【請求項１】
帯板状、棒状等からなる左右一対の主軸体１、２の各基端に軟質合成樹脂、ゴム等の弾性素材製の吸着盤３、４を設けると共に該左右一対の主軸体１、２間に帯板状、棒状等からなる複数の軸体５を所要間隔をおいて差し渡し状に固設し、且つ、前記左右一対の主軸体１、２の各々に、帯板状、棒状等からなる補助の支軸体７、８の先端を各々角度調節可能に枢着すると共に該支軸体７、８の各々の基端に軟質合成樹脂、ゴム等の弾性素材製の吸着盤９、１０を各々角度調節可能に枢着してなることを特徴とする物干し用具。
【請求項２】
前記主軸体１、２の基端に設ける吸着盤３，４を角度調節可能に枢着してなる請求項１に記載の物干し用具。
【請求項３】
前記主軸体１、２及び軸体５に各々一又は複数の穿孔６を設けてなる請求項１又は請求項２に記載の物干し用具。
【考案の詳細な説明】
【技術分野】
【０００１】
本考案は、主として室内において、窓ガラス、書棚のガラス戸、鏡、冷蔵庫等のステンレス面、タイル壁面、その他の適宜な鏡面状の垂直平面を利用して、該垂直平面に吸着盤を介して着脱自在に設備し得て、洗濯物を手軽に且つ多用に干して乾かすことのできる便利な簡易型の物干し用具に関するものである。
【背景技術】
【０００２】
単身独居やホテル、病室等の室内において、屋外の物干し場を利用することなく室内で洗濯物を干したいような場合、従来、室内で使用できる類の物干し用具と言えば、下記特許文献に示すような中央上部にフック部材を設けてなるものであって、垂直状に吊り下げて使用する構成のものがほとんどであった。
【０００３】
しかしながら、かかるフック部材を設けてなる物干し用具の当該フック部材を引っ掛け支持するに適する金具類や紐類等の設備のない、若しくは、設備するのが憚かられるような室内環境の部屋は昨今意外に多く存在するものであり、このような室内にあっては、洗濯物を室内で干して乾かすことはきわめて困難であって、不便であった。
【特許文献１】実開平０７−０３９７９６号公報
【考案の開示】
【考案が解決しようとする課題】
【０００４】
本考案が解決しようとする課題は、物干し用具のフック部材を引っ掛けるための金具類や紐類等の設備のない、若しくは、設備するのが憚かられるような室内環境にある室内においても、任意に簡便に着脱自在に設備することのできるきわめて便利な室内用の簡易型の物干し用具を提供することである。
【課題を解決するための手段】
【０００５】
本考案は、帯板状、棒状等からなる左右一対の主軸体１、２の各基端に軟質合成樹脂、ゴム等の弾性素材製の吸着盤３、４を設けると共に該左右一対の主軸体１、２間に帯板状、棒状等からなる複数の軸体５を所要間隔をおいて差し渡し状に固設し、且つ、前記左右一対の主軸体１、２の各々に、帯板状、棒状等からなる補助の支軸体７、８の先端を各々角度調節可能に枢着すると共に該支軸体７、８の各々の基端に軟質合成樹脂、ゴム等の弾性素材製の吸着盤９、１０を各々角度調節可能に枢着してなることを最も主要な特徴とするものである。
【考案の効果】
【０００６】
本考案の物干し用具は、室内における窓ガラス、書棚のガラス戸、鏡、冷蔵庫等のステンレス面、タイル、その他の適宜な鏡面状の垂直平面を利用して、該鏡面状の垂直平面に左右一対の主軸体の各々の基端における吸着盤を吸着させると共に補助の各々の支軸体の基端における吸着盤をも併せて各々吸着させることによって、左右一対の主軸体を前記鏡面状の垂直平面からほぼ水平状に必要強度を保持した状態で着脱自在に突出状に装備させることができるので、かかる左右一対の主軸体間に所要間隔をおいて差し渡し状に固設してなる複数の軸体に洗濯物を直接に、或いは、ハンガーを介して適宜に吊り下げる等してきわめて手軽に多用に洗濯物干しに供することができる利点がある。
【考案を実施するための最良の形態】
【０００７】
本考案は、物干し用の設備のない、或いは、設備を設け得ないような室内環境の下にあっても、充分な強度を有する着脱自在な室内用の物干し用具を提供するという目的を、室内における窓ガラス、書棚のガラス戸、鏡、冷蔵庫等のステンレス面、タイル、その他の適宜な鏡面状の垂直平面を利用して吸着盤を介して吸着させることで物干し用具の設置を簡便に実現したものである。
【実施例１】
【０００８】
図１は、本考案物干し用具の実施例を示す斜視図であって、１、２は主軸体、３、４は吸着盤、５は軸体、６は穿孔、７、８は支軸体、９、１０は吸着盤、１１は室内における窓ガラス、書棚のガラス戸、鏡、冷蔵庫等のステンレス面、タイル、その他の鏡面状の垂直平面である。
【０００９】
所定間隔を置いた左右一対の主軸体１、２は、帯板状、棒状等からなる長尺体で、木、金属、合成樹脂等の適宜強度を有すると共に軽量な材質で成形してなるものである。その長さ寸法は特定するものではないが、３０〜７０ｃｍ程度内の長さに設定するのが室内という制約された空間内での使用上使い勝手に優れ好適である。
【００１０】
該主軸体１、２の基端には、軟質合成樹脂、ゴム等の弾性素材製からなる吸着盤３、４を一体的に取り付けている。該吸着盤３、４は主軸体１、２の基端に固設してなるものであってもよいが、角度調節可能に枢着する構成とするのがより望ましい。吸着盤３、４を主軸体１、２の基端に各々角度調節可能に枢着すると、該吸着盤３、４を吸着せしめる後述する鏡面状の垂直平面１１が正確な垂直角度を有しない場合であっても、主軸体１、２の角度を適宜に調節することによって該主軸体１、２をほぼ水平状態に突出配置することができるからである。
【００１１】
上記の如くな左右一対の主軸体１、２の間には帯板状、棒状等からなる複数の軸体５を相互に所要間隔をおいて差し渡し状に固設し、且つ、左右一対の主軸体１、２及び軸体５には各々適宜数の穿孔５を設けてなり、該穿孔５にはハンガーのフック部等を掛入し得るよう構成することが望ましい。更にまた、図示していないが、主軸体１、２及び軸体５の上辺部に適宜な凹部を連続的に設け、該凹部にハンガーのフック部等を位置ずれしないよう掛止し得るよう構成することもできる。
【００１２】
左右一対の主軸体１、２における適宜部位に、望ましくはその中間から前方寄りの部位に補助の支軸体７、８の先端を角度調節可能に枢着している。該支軸体７、８は主軸体１、２とほぼ同程度の長さ寸法でよく、主軸体１、２と同様な素材をもって成形してなるものである。該支軸体７、８の基端には、主軸体１、２の基端に設けた吸着盤３、４と同様な軟質合成樹脂、ゴム等の弾性素材製からなる吸着盤９、１０を角度調節可能に枢着している。
【００１３】
上記の如くなる本考案物干し用具は、室内における窓ガラス、書棚のガラス戸、鏡、冷蔵庫等のステンレス面、タイル、その他の任意の鏡面状の垂直平面１１を任意に選択して、該垂直平面１１に先ず主軸体１、２基端の吸着盤３、４を吸着固定させ、各々の主軸体１、２を垂直平面６からほぼ水平状に突出するように配置させる。
【００１４】
その上で、補助の支軸体７、８における吸着盤９、１０を該補助の支軸体７、８を斜め吊り下げ状態となして前記主軸体１、２の水平状態を保持し得るよう垂直平面１１上の適宜位置に吸着保持させ、これによって、室内においてきわめて手軽に簡易な物干し用の設備を充分な強度をもって設けることができる。
【００１５】
また、主軸体１、２及び軸体５とによって矩形枠組を形成してなるものであることから、洗濯物をハンガーを介する等して吊り下げるのみならず、該矩形枠上を載置場所としても使用することができ、多用的に利便に利用することができる。
【産業上の利用可能性】
【００１６】
物干し用の設備の室内においても、ほとんどの室内には存在する窓ガラス、書棚のガラス戸、鏡、冷蔵庫等のステンレス面、タイル、その他の鏡面状の垂直平面６を利用する
ことで、吸着盤３、４、９、１０を介して物干し用具を着脱可能に吸着設置することができ、手軽に洗濯物を干して乾かすことができる。
【図面の簡単な説明】
【００１７】
【図１】本考案物干し用具の実施例を示す斜視図である。
【符号の説明】
【００１８】
１、  ２    主軸体
３、  ４    吸着盤
５          軸体
６          穿孔
７、  ８    支軸体
９、１０    吸着盤
１１          鏡面状の垂直平面
【図１】
0003118622.tif 000003